(57)【要約】【課題】段ボールシート等のシートに対して折曲げ用の罫線と、その両側に上記罫線に対して交差する方向に延びる補助罫線とをシートを破損させることなく形成することができるようにした罫入れ装置を提供することである。【解決手段】雌ロール４に上下で対向でする雄ロール３の外周に折曲げ用罫線を罫入れする環状の突条５を形成し、その突条５の両側に突条５に対して交差する方向に延びる補助罫線罫入れ用の突出部９を周方向に間隔をおいて形成する。各突出部９の４つのコーナ部のうち、少なくともシートを最初に押し込むコーナ部に切欠き１０を形成する。雌ロール４と雄ロール３とを相反する方向に回転し、両ロール３、４間に送り込まれるシートＳを突条５および突出部９により押し込んで罫線および補助罫線を罫入れする。【選択図】  図３
2004167983.tif 000002
【特許請求の範囲】
【請求項１】
第１ロールと第２ロールを上下で対向配置し、第１ロールの外周に罫入れ用の環状の突条と、その両側に一対のシート押圧面とを設け、前記両ロールを相対的に逆方向に回転し、第１ロールの外周に設けられた前記突条により両ロール間に送り込まれるシートを押し込んで折曲げ用の罫線を形成するようにした罫入れ装置において、前記第１ロールの外周における一対のシート押圧面のそれぞれに、前記突条に対して交差方向に延びる補助罫線罫入れ用の突出部を周方向に間隔をおいて設け、各突出部の４つのコーナ部のうち、少なくとも前記シートを最初に押し込むコーナ部に切欠きを形成したことを特徴とする罫入れ装置。
【発明の詳細な説明】
【０００１】
【発明の属する技術分野】
この発明は、一方向に搬送される段ボールシート等のシートに対して折曲げ用の罫線を形成する罫入れ装置に関するものである。
【０００２】
【従来の技術】
この種、従来の罫入れ装置は、一方向に搬送されるシートの搬送路に、上下で対向する一対のロールを設け、その両ロールを相対的に逆方向に回転させ、一方のロールの外周に設けられた環状の突条によりシートを押し込んで折曲げ用の罫線を形成するようにしている（特許文献１参照）。
【０００３】
【特許文献１】
特開２００１−１０５５１２号公報（第４頁および第５頁、図１乃至図４）
【０００４】
上記の構成から成る罫入れ装置は、段ボールシートに対する罫入れ用として多く用いられる。このとき、段ボールシートには波状中しんの段目にほぼ平行に罫入れされるが、罫線の形成位置は中しんの隣接する山の２等分位置や一つの山の頂きと対応する位置に罫入れされることはきわめて少なく、左右に片寄った位置に設けられる場合が多い。
【０００５】
この場合、折曲げ用罫線を境界線として左右の部分では折曲げの強度が相違し、段ボールシートを罫線に沿って１８０°折曲げた場合、罫線の両側部が互に当接して干渉し合い、折曲げ位置は強度の弱い方に片寄りが生じて、前記罫線に沿って段ボールシートを精度よく折曲げることができない。
【０００６】
そのような問題点を解決するため、折曲げ用罫線の両側位置に、その罫線に対して交差する方向に延びる補助罫線を前記折曲げ用罫線の長さ方向に間隔をおいて形成するようにした段ボールシートが提案されている（特許文献２および３参照）。
【０００７】
【特許文献２】
特開平１１−１０７５３号公報（第３−４頁、図１および図２）
【特許文献３】
特開平９−７０９０５号（第３頁、図７および図８）
【０００８】
【発明が解決しようとする課題】
ところで、上記のような折曲げ用罫線と補助罫線とを一対のロールから成る罫入れ装置でもって形成しようとすると、一方のロールの外周に環状の突条を設け、その突条の両側に周方向に間隔をおいて突出部を設ける必要がある。この場合、突出部の４つのコーナ部のうち、回転方向前側のコーナ部は厚みのある段ボールシートを急激に強く押し込むため、段ボールシートを破損させる場合がある。
【０００９】
この発明の課題は、一対のロールから成る罫入れ装置によって段ボールシート等のシートに対して、シートを破損させることなく折曲げ用の罫線と、その両側に補助罫線とを罫入れできるようにすることである。
【００１０】
【課題を解決するための手段】
上記の課題を解決するために、この発明においては、第１ロールと第２ロールを上下で対向配置し、第１ロールの外周に罫入れ用の環状の突条と、その両側に一対のシート押圧面とを設け、前記両ロールを相対的に逆方向に回転し、第１ロールの外周に設けられた前記突条により両ロール間に送り込まれるシートを押し込んで折曲げ用の罫線を形成するようにした罫入れ装置において、前記第１ロールの外周における一対のシート押圧面のそれぞれに、前記突条に対して交差方向に延びる補助罫線罫入れ用の突出部を周方向に間隔をおいて設け、各突出部の４つのコーナ部のうち、少なくとも前記シートを最初に押し込むコーナ部に切欠きを形成した構成を採用したのである。
【００１１】
上記のように構成すれば、第１ロールと第２ロール間にシートが送り込まれると、第１ロールの外周に形成された突条と突出部がシートを押し込むため、シートに折曲げ用の罫線と、その両側に補助罫線とを同時に形成することができると共に、各突出部のシートを最初に押し込むコーナ部に切欠きが設けられているため、シートを強く押し込むことはなく、シートを破損させることもない。
【００１２】
【発明の実施の形態】
以下、この発明の実施の形態を図面に基づいて説明する。図１および図２に示すように、段ボールシート等のシートＳの移送路には、そのシートＳの移送方向に直交する方向に長い一対の回転軸１、２が上下に設けられ、各回転軸１、２は図１の矢印で示すように、相対的に逆方向に回転される。
【００１３】
下側の回転軸２には第１ロールとしての雄ロール３が取付けられ、一方、上側の回転軸１には第２ロールとしての雌ロール４が取付けられている。
【００１４】
雄ロール３は、回転軸１に対して回り止めされ、かつ軸方向に移動自在に支持されたロール本体３ａと、そのロール本体３ａの一側面にボルトの締付けによって着脱自在に取付けられた罫入れリング３ｂとから成っている。
【００１５】
図３乃至図５に示すように、罫入れリング３ｂの外周には、軸方向の中央部に環状の突条５と、その両側に突条５の頂部より低い面を有する一対のシート押圧面６ａ、６ｂとが形成され、前記突条５の両側面とシート押圧面６ａ、６ｂとがそれぞれ交わる付根部のそれぞれに環状溝７が設けられている。この環状溝は必要に応じて形成しなくてもよい。
【００１６】
一対のシート押圧面６ａ、６ｂは罫入れリング３ｂの両側面側の一端から突条５側の他端に向けて上り勾配をもって傾斜するテーパ面とされて相反する方向に傾斜しており、各シート押圧面６ａ、６ｂに軸方向に延びる溝８が周方向に等間隔に形成され、隣接する溝８間に補助罫線罫入れ用の突出部９が設けられている。
【００１７】
ここで、突出部９は、突条５に対して交差する方向に傾斜している。また、突条５の両側に設けられた突出部９は相反する方向に傾斜していると共に、突条５の一側方に設けられた突出部９と他側方に設けられた突出部９は周方向に半ピッチ位相がずれている。
【００１８】
各突出部９の４つのコーナ部のうち、シートを最初に押し込むコーナ部には切欠き１０が設けられている。実施の形態では、図４の矢印で示す方向に罫入れリング３ｂが回転されるようになっており、このような回転方向の場合には、回転方向前側の前記突条５に近接する鋭角のコーナ部に切欠き１０を設けるようにする。なお、罫入れリング３ｂが図４の矢印と反対の方向に回転される場合は、シートを最初に押し込むことになる各突出部９の罫入れリング３ｂの側面側の鋭角のコーナ部（イ）  に切欠き１０を設けるようにする。実施の形態における切欠き１０の形状は図５に示すように三角錐状であるが、三角柱状の切欠きであってもよい。
【００１９】
図２に示すように、雌ロール４は、回転軸１に対して回り止めされ、かつ軸方向に移動自在に支持されたロール本体４ａと、そのロール本体４ａの一側面にボルトの締付けによって着脱自在に取付けられた受けリング４ｂとから成っている。図３に示すように、受けリング４ｂの外周にはウレタンゴム等の弾性体から成る弾性体層１２が設けられている。
【００２０】
なお、弾性体層１２は必要に応じて設けるようにし、省略されたものであってもよい。
【００２１】
いま、図１の矢印で示すように、一対の回転軸１、２を相反する方向に回転させた状態において、雄ロール３と雌ロール４間に段ボールシート等のシートＳが送り込まれると、そのシートＳは雄ロール３の突条５により押し込まれて直線状の罫線が形成されると共に、シート押圧面６ａ、６ｂの溝８間に設けられた傾斜状の突出部９により押し込まれて、前記罫線の両側にその罫線に対して傾斜する補助罫線が形成される。
【００２２】
ここで、補助罫線を罫入れする突出部９は突条５に対して交差する方向に傾斜し、その突条５に近接する回転方向前側のコーナ部は鋭角であってシートを最初に衝撃的に押し込むため、シートを破損させるおそれが生じる。しかし、上記コーナ部には切欠き１０が設けられているため、コーナ部がシートＳを強く押し込むことがなく、シートＳを破損させることなく補助罫線を罫入れすることができる。
【００２３】
図４および図５に示す実施の形態では、シートＳを最も破損させるおそれの強い、傾斜状突出部９のシートを最初に押し込むコーナ部にのみ切欠き１０を設けたが、そのコーナ部と対角位置であって、鋭角であるためにシートＳを破損させ易いコーナ部にも切欠き１０を設けるようにしてもよい。また、全てのコーナ部に切欠きを設けてもよい。
【００２４】
なお、雄ロール３の回転に伴って、シートＳは突出部９の回転方向前側から後側に向けて押圧されるため、当初の厚みを保持したままのシートＳを最初に押し込むことになる突出部９の回転方向前側が後側よりシートＳを破損させ易い。
【００２５】
さらに、図１乃至図５に示す実施の形態では罫入れリング３ｂの外周に形成されたシート押圧面６ａ、６ｂがテーパ面から成るものを示したが、シート押圧面６ａ、６ｂの形状はこれに限定されない。例えば、テーパを有さない円筒面から成るものであってもよい。
【００２６】
また、実施の形態では、一対のシート押圧面６ａ、６ｂの周方向に等間隔に形成された突出部９を傾斜状とし、その傾斜状の突出部９を他方のシート押圧面に形成された突出部９に対して周方向に半ピッチ位相をずらしたものを示したが、突出部９の形状、配置はこれに限定されず、図６（Ｉ）乃至（ＩＩＩ  ）に示すような突出部９を採用することができる。
【００２７】
図６（Ｉ）においては、一対のシート押圧面６ａ、６ｂの周方向に等間隔に形成された傾斜状の突出部９を同じ位相とすると共に、他方のシート面に形成された突出部９に対して逆向きに傾斜させている。また、各突出部９の回転方向前側の突条５に近接するコーナ部に切欠き１０を設けている。
【００２８】
図６（ＩＩ）においては、一対のシート押圧面６ａ、６ｂのそれぞれに、突条５に対して直交する方向に延びる突出部９を周方向に等間隔に形成し、突条５の両側方の突出部９を周方向に半ピッチ位相をずらしている。また、各突出部９の回転方向前側の突条５に近接するコーナ部に切欠き１０を設けている。
【００２９】
図６（ＩＩＩ  ）においては、一対のシート押圧面６ａ、６ｂのそれぞれに突条５に対して直交する方向に延びる突出部９を周方向に等間隔に形成し、突条５の両側方の突出部９を同じ位相で形成している。また、各突出部９の回転方向前側の突条５に近接するコーナ部に切欠き１０を設けている。
【００３０】
図６（Ｉ）乃至（ＩＩＩ  ）に示すいずれの切欠き１０においてもその形状は三角錐状または三角柱状であってもよく、このような切欠き１０を形成されている罫入れリング３ｂにおいて、シートＳを破損させることなく補助罫線を形成することができる。
【００３１】
なお、図６（Ｉ）乃至（ＩＩＩ  ）に示す各実施の形態では、突出部９の回転方向前側の突条５に近接するコーナ部にのみ切欠き１０を形成したが、回転方向前側の２つのコーナ部に切欠きを設けてもよく、あるいは４つのコーナ部のそれぞれに切欠きを設けるようにしてもよい。図１乃至図５に示す実施の形態および図６に示す実施形態のいずれの実施形態も、印刷機の後工程部に取り付けられるホイール状のロールによる罫入れ装置を示したが、罫入れ装置はこれに限定されるものではない。例えば、第１ロールとしてのダイロールと、第２ロールとしてのアンビルロールとを有し、前記ダイロールの外周に取付けた型板に罫入れ用突条と、その両側にシート押圧面とを設け、各シート押圧面に突出部を設け、前記突条によって両ロール間に送り込まれるシートに対して罫入れ用の罫線を形成し、突出部によって補助罫線を罫入れするようにしたロータリダイカッタから成る罫入れ装置であってもよい。このような罫入れ装置の場合も、突出部の４つのコーナ部のうち、少なくともシートを最初に押し込むコーナ部に切欠きを設けておくようにする。
【００３２】
【発明の効果】
以上のように、この発明においては、第２ロールに対向配置した第１ロールの外周に環状の突条を設け、その突条の両側方に、突条に対して交差する方向に延びる突出部を周方向に間隔をおいて形成したので、段ボールシート等のシートに対して、折曲げ用の罫線と、その両側に補助罫線とを罫入れすることができる。
【００３３】
また、各突出部の４つのコーナ部のうち、少なくともシートを最初に押し込むコーナ部に切欠きを形成したことによってシートを破損させることなく補助罫線を罫入れすることができる。
【図面の簡単な説明】
【図１】この発明に係る罫入れ装置の実施の形態を示す縦断正面図
【図２】図１の一部切欠側面図
【図３】図１に示す罫入れリングの一部分を示す平面図
【図４】図２の一部分を拡大して示す断面図
【図５】図１に示す罫入れリングの一部分を示す斜視図
【図６】（１）乃至（ＩＩＩ  ）は罫入れリングの他の例を示す平面図
【符号の説明】
３  雄ロール
４  雌ロール
５  突条
６ａ、６ｂ  シート押圧面
９  突出部
１０  切欠き
【図１】
2004167983.tif 000003
【図２】
2004167983.tif 000004
【図３】
2004167983.tif 000005
【図４】
2004167983.tif 000006
【図５】
2004167983.tif 000007
【図６】
2004167983.tif 000008